(57)【特許請求の範囲】
【請求項１】
遊技球が流下する遊技領域を備えた遊技盤と、
前記遊技盤を保持する遊技盤保持枠と、
前記遊技盤保持枠との間に前記遊技盤を位置させた状態で前記遊技盤保持枠に組み付けられかつ、遊技の賞球を払い出す賞球払い出し装置を有した裏機構セット盤と、
前記遊技盤保持枠の前記裏機構セット盤側に配置されて、遊技盤押さえ部を備えると共に、前記遊技盤押さえ部で前記遊技盤の一部を押し止めして前記遊技盤保持枠に前記遊技盤を離脱不能に保持した保持位置と、前記遊技盤押さえ部による前記遊技盤を押し止めた状態を解除した非保持位置との間で移動操作可能な第１係合部材とを備えた弾球遊技機であって、
前記裏機構セット盤が、前記遊技盤又は遊技盤保持枠に対して第１位置状態のときには、前記裏機構セット盤が前記遊技盤又は遊技盤保持枠に離脱不能に係合可能となる一方、
前記裏機構セット盤が、前記遊技盤又は遊技盤保持枠に対して第２位置状態のときには、前記裏機構セット盤が前記遊技盤又は遊技盤保持枠に係合不能となる第２係合部材を備え、
前記第１係合部材が前記非保持位置にあるときには、前記第１の係合部材と前記裏機構セット盤とが互いに干渉して、前記裏機構セット盤を前記遊技盤又は遊技盤保持枠に対して前記第２位置状態に保持し、
前記第１係合部材が前記保持位置にあるときには、前記第１の係合部材と前記裏機構セット盤とが互いに干渉せずに、前記裏機構セット盤を前記遊技盤又は遊技盤保持枠に対して前記第１位置状態に移行可能とする組み付け不良防止手段を備え、
前記第１係合部材が移動可能な範囲の一端に突き当てられたときに、前記第１係合部材が前記保持位置となり、前記第１係合部材が移動可能な範囲の一端以外では前記第１係合部材が前記非保持位置となることを特徴とする弾球遊技機。
【請求項２】
前記組み付け不良防止手段は、前記第１係合部材が前記非保持位置にあるときには、前記第１係合部材と前記裏機構セット盤とを互いに干渉させて、前記裏機構セット盤を、前記遊技盤又は遊技盤保持枠に対して前記第２位置状態とすることで、前記第２係合部材の係合を禁止し、
前記第１係合部材が前記保持位置にあるときには、前記裏機構セット盤を、前記遊技盤又は遊技盤保持枠に対して前記第１位置状態にすることで、前記第２係合部材の係合を許容するように構成されたことを特徴とする請求項１に記載の弾球遊技機。
【請求項３】
前記第２係合部材は、前記裏機構セット盤に備えられた係合部と、前記遊技盤又は前記遊技盤保持枠に備えられた係合部とから構成され、
前記第１位置状態は、前記裏機構セット盤に備えられた係合部と、前記遊技盤又は前記遊技盤保持枠に備えられた係合部とが係合可能な位置であり、
前記第２位置状態は、前記裏機構セット盤に備えられた係合部と、前記遊技盤又は前記遊技盤保持枠に備えられた係合部とが係合不能な位置であることを特徴とする請求項１又は２に記載の弾球遊技機。
【請求項４】
前記第１係合部材は、前記裏機構セット盤により少なくとも一部が覆われる位置に配置されたことを特徴とする請求項１乃至３の何れかに記載の弾球遊技機。
【請求項５】
前記組み付け不良防止手段は、前記第１係合部材から前記裏機構セット盤に向けて突出形成された干渉凸部と、
前記裏機構セット盤に形成されて、前記第１係合部材が前記非保持位置にあるとき前記干渉凸部に干渉して、前記裏機構セット盤を、前記遊技盤又は遊技盤保持枠に対して前記第２位置状態とする受け凸部と、
前記裏機構セット盤に形成されて、前記第１係合部材が前記保持位置にあるとき前記干渉凸部を収納する干渉凸部収納空間とからなることを特徴とする請求項１乃至４の何れかに記載の弾球遊技機。
【請求項６】
前記第１係合部材は、前記遊技盤保持枠から突出した軸部の先端に設けられて回動する係合レバーであることを特徴とする請求項１乃至５の何れかに記載の弾球遊技機。
【請求項７】
前記係合レバーは、前記軸部に直交した摘み部を備えたことを特徴とする請求項６に記載の弾球遊技機。
【請求項８】
前記干渉凸部は、前記係合レバーの回動中心から離れた端部に配置されたことを特徴とする請求項６又は７に記載の弾球遊技機。
【請求項９】
前記第１係合部材の移動可能な範囲のうち前記保持位置以外は全て前記非保持位置であることを特徴とする請求項１乃至８の何れかに記載の弾球遊技機。
【発明の詳細な説明】
【技術分野】
【０００１】
本発明は、弾球遊技機に関する。
【背景技術】
【０００２】
従来より、弾球遊技機は、遊技盤保持枠に備えられた係合レバーによって遊技盤を遊技盤保持枠の後面側から保持し、さらに遊技盤保持枠の後面に裏機構セット盤を取り付けていた（例えば、特許文献１参照）。
【特許文献１】実開昭６１−７３３８９号公報（図１）
【発明の開示】
【発明が解決しようとする課題】
【０００３】
しかしながら、上述した従来の弾球遊技機では、係合レバーが遊技盤を保持した状態でなくても、裏機構セット盤を遊技盤保持枠に取り付けることが可能であった。しかも、近年の弾球遊技機では、裏機構セット盤が大型化しており、裏機構セット盤と遊技盤保持枠とを組み付けると、係合レバーは裏機構セット盤や裏機構セット盤に取り付けられた部材によって後側から覆われる。つまり、係合レバーの状態を視認できないので、裏機構セット盤と遊技盤保持枠とを組み付けた後で遊技盤の組み付け不良を発見することは困難であった。
【０００４】
本発明は、上記事情に鑑みてなされたもので、遊技盤の組み付け不良を防止することが可能な弾球遊技機の提供を目的とする。
【課題を解決するための手段】
【０００５】
上記目的を達成するため、請求項１に係る遊技機は、遊技球が流下する遊技領域を備えた遊技盤と、遊技盤を保持する遊技盤保持枠と、遊技盤保持枠との間に遊技盤を位置させた状態で遊技盤保持枠に組み付けられかつ、遊技の賞球を払い出す賞球払い出し装置を有した裏機構セット盤と、遊技盤保持枠の裏機構セット盤側に配置されて、遊技盤押さえ部を備えると共に、遊技盤押さえ部で遊技盤の一部を押し止めして遊技盤保持枠に遊技盤を離脱不能に保持した保持位置と、遊技盤押さえ部による遊技盤を押し止めた状態を解除した非保持位置との間で移動操作可能な第１係合部材とを備えた弾球遊技機であって、裏機構セット盤が、遊技盤又は遊技盤保持枠に対して第１位置状態のときには、裏機構セット盤が遊技盤又は遊技盤保持枠に離脱不能に係合可能となる一方、裏機構セット盤が、遊技盤又は遊技盤保持枠に対して第２位置状態のときには、裏機構セット盤が遊技盤又は遊技盤保持枠に係合不能となる第２係合部材を備え、第１係合部材が非保持位置にあるときには、第１の係合部材と裏機構セット盤とが互いに干渉して、裏機構セット盤を遊技盤又は遊技盤保持枠に対して第２位置状態に保持し、第１係合部材が保持位置にあるときには、第１の係合部材と裏機構セット盤とが互いに干渉せずに、裏機構セット盤を遊技盤又は遊技盤保持枠に対して第１位置状態に移行可能とする組み付け不良防止手段を備え、第１係合部材が移動可能な範囲の一端に突き当てられたときに、第１係合部材が保持位置となり、第１係合部材が移動可能な範囲の一端以外では第１係合部材が非保持位置となるところに特徴を有する。
【０００６】
請求項２の発明は、請求項１に記載の弾球遊技機において、組み付け不良防止手段は、第１係合部材が非保持位置にあるときには、第１係合部材と裏機構セット盤とを互いに干渉させて、裏機構セット盤を、遊技盤又は遊技盤保持枠に対して第２位置状態とすることで、第２係合部材の係合を禁止し、第１係合部材が保持位置にあるときには、裏機構セット盤を、遊技盤又は遊技盤保持枠に対して第１位置状態にすることで、第２係合部材の係合を許容するように構成されたところに特徴を有する。
【０００７】
請求項３の発明は、請求項１又は２に記載の弾球遊技機において、第２係合部材は、裏機構セット盤に備えられた係合部と、遊技盤又は遊技盤保持枠に備えられた係合部とから構成され、第１位置状態は、裏機構セット盤に備えられた係合部と、遊技盤又は遊技盤保持枠に備えられた係合部とが係合可能な位置であり、第２位置状態は、裏機構セット盤に備えられた係合部と、遊技盤又は遊技盤保持枠に備えられた係合部とが係合不能な位置であるところに特徴を有する。
【０００８】
請求項４の発明は、請求項１乃至３の何れかに記載の弾球遊技機において、第１係合部材は、裏機構セット盤により少なくとも一部が覆われる位置に配置されたところに特徴を有する。
【０００９】
請求項５の発明は、請求項１乃至４の何れかに記載の弾球遊技機において、組み付け不良防止手段は、第１係合部材から裏機構セット盤に向けて突出形成された干渉凸部と、裏機構セット盤に形成されて、第１係合部材が非保持位置にあるとき干渉凸部に干渉して、裏機構セット盤を、遊技盤又は遊技盤保持枠に対して第２位置状態とする受け凸部と、裏機構セット盤に形成されて、第１係合部材が保持位置にあるとき干渉凸部を収納する干渉凸部収納空間とからなるところに特徴を有する。
【００１０】
請求項６の発明は、請求項１乃至５の何れかに記載の弾球遊技機において、第１係合部材は、遊技盤保持枠から突出した軸部の先端に設けられて回動する係合レバーであるところに特徴を有する。
【００１１】
請求項７の発明は、請求項６に記載の弾球遊技機において、係合レバーは、軸部に直交した摘み部を備えたところに特徴を有する。
【００１２】
請求項８の発明は、請求項６又は７に記載の弾球遊技機において、干渉凸部は、係合レバーの回動中心から離れた端部に配置されたところに特徴を有する。
【００１３】
請求項９の発明は、請求項１乃至８に記載の弾球遊技機において、第１係合部材の移動可能な範囲のうち保持位置以外は全て非保持位置であるところに特徴を有する。
【発明の効果】
【００１４】
［請求項１の発明］
上記のように構成した請求項１に係る発明によれば、第１係合部材が遊技盤保持枠を遊技盤に押し止めしていない非保持位置にある場合は、組み付け不良防止手段によって第１係合部材と裏機構セット盤とが干渉して、裏機構セット盤は、遊技盤又は遊技盤保持枠に対して第２位置状態となる。即ち、裏機構セット盤を遊技盤又は遊技盤保持枠に離脱不能に係合可能な第１位置状態とすることが不可能となる。これにより、弾球遊技機の組み立て作業者は、遊技盤保持枠に遊技盤が押し止めされていないことを認識でき、遊技盤の組み付け不良を防止することができる。また、第１係合部材を保持位置とする場合には、第１係合部材が移動可能な範囲の一端に突き当って止まるまで移動させればよいので、第１係合部材を容易かつ確実に保持位置とすることができる。
【００１５】
［請求項２，３，４の発明］
請求項２の発明によれば、第１係合部材が非保持位置にある場合は、組み付け不良防止手段によって第１係合部材と裏機構セット盤とが干渉して、裏機構セット盤は、遊技盤又は遊技盤保持枠に対して第２位置状態となる。即ち、裏機構セット盤を遊技盤又は遊技盤保持枠に離脱不能に係合可能な第１位置状態とすることが不可能となり、第２係合部材の係合が禁止される。つまり、遊技盤の保持が不完全な状態では、裏機構セット盤と遊技盤又は遊技盤保持枠との係合ができなくなるので遊技盤の組み付け不良を確実に防止することができる。
【００１６】
ここで、第２係合部材は、裏機構セット盤に備えられた係合部と、遊技盤又は遊技盤保持枠に備えられた係合部とから構成され、第１位置状態は、これら裏機構セット盤に備えられた係合部と、遊技盤又は遊技盤保持枠に備えられた係合部とが係合可能な位置であり、第２位置状態は、裏機構セット盤に備えられた係合部と、遊技盤又は遊技盤保持枠に備えられた係合部とが係合不能な位置である（請求項３の発明）。また、第１係合部材は、裏機構セット盤により少なくとも一部が覆われる位置に配置されていればよい（請求項４の発明）。
【００１７】
［請求項５の発明］
請求項５の発明によれば、第１係合部材が保持位置にある場合に、裏機構セット盤と遊技盤又は遊技盤保持枠との組み付け操作を行うと、第１係合部材に突出形成された干渉凸部が、裏機構セット盤に形成された干渉凸部収納空間に収納されるので、裏機構セット盤と遊技盤又は遊技盤保持枠とを第２係合部材で係合することが可能となる。
【００１８】
これに対し、第１係合部材が非保持位置にある場合に、裏機構セット盤と遊技盤又は遊技盤保持枠との組み付け操作を行うと、第１係合部材の干渉凸部が、裏機構セット盤に形成された受け凸部に干渉して、裏機構セット盤を遊技盤又は遊技盤保持枠に対して第１位置状態とすることが不可能となる。つまり、遊技盤が第１係合部材によって遊技盤保持枠に保持されていない場合には、第２の係合部による裏機構セット盤と遊技盤又は遊技盤保持枠との係合が禁止されるので、遊技盤の組み付け不良を確実に防止することができる。ここで、第１係合部材は、遊技盤保持枠に突出形成された軸部に回動可能に設けられた係合レバーとすることができる（請求項６の発明）。
【００１９】
［請求項７の発明］
請求項７の発明によれば、係合レバーには、摘み部が備えられたので、係合レバーの操作性を向上することができる。
【００２０】
［請求項８の発明］
請求項８の発明によれば、干渉凸部は、係合レバーの回動中心から離れた端部に配置されたので、干渉凸部を回動中心寄り位置に配置した場合と比較して、係合レバーの回動による干渉凸部の移動の幅を大きくすることができる。これにより、裏機構セット盤に備えられた受け凸部と干渉凸部収納空間とを離した位置に配置することができる。
【００２１】
［請求項９の発明］
請求項９の発明によれば、第１係合部材の移動可能な範囲のうち、保持位置以外は全て非保持位置となっているので、第１係合部材が保持位置ではない場合には、確実に裏機構セット盤と遊技盤又は遊技盤保持枠との係合が禁止される。よって遊技盤の組み付け不良をより確実に防止することができる。
【発明を実施するための最良の形態】
【００２２】
以下、本発明を適用したパチンコ遊技機に係る一実施形態を、図１〜図１１に基づいて説明する。本実施形態のパチンコ遊技機には、図１に示すように、一般のものと同様に、遊技場の遊技島に固定される外枠８２に遊技盤保持枠９０が着脱可能に取り付けられている。
【００２３】
遊技盤保持枠９０には、図２に示した遊技盤１１に種々の部品を組み付けてなる遊技盤側集合体と、同図に示した裏機構セット盤７５に種々の部品を組み付けてなる裏機構セット盤側集合体の２つの集合体が組み付けられる。遊技盤側集合体を構成する各部品に関して説明すると、遊技盤１１は、木製の概矩形板材で構成されている。遊技盤１１の前面には、図１に示すように、ガイドレール１２が取り付けられ、ガイドレール１２の内側が、遊技領域Ｒ１となっている。遊技領域Ｒ１のほぼ中央部には、表示装置１３が設けられ、表示装置１３の下方には、始動入賞口１４、大入賞口１５及びアウト口１６が、上から順に間隔を開けて並べて設けられている。また、遊技領域Ｒ１のうち表示装置１３、及び始動入賞口１４等を挟んだ左右の両側には、上から順に、ランプ風車１７、始動ゲート１８及び風車１９、サイド入賞口２０，２１が設けられ、ガイドレール１２に沿った両側部には、サイドランプ２２，２２が設けられている。さらに、これら入賞口等以外に、遊技領域Ｒ１には、図示しない複数の釘が起立している。
【００２４】
所要の各部位についてさらに詳説する。
上側サイド入賞口２０及び下側サイド入賞口２１は、共に遊技球が１つ入賞可能な開口幅をなして上方に開放されている。
【００２５】
始動ゲート１８は、遊技球が潜って通過可能な門形構造をなし、通過した遊技球は、その始動ゲート１８に内蔵した普通図柄始動スイッチによって検出される。そして、その検出信号に基づいて、後述する普通図柄表示領域２４の図柄が変動表示される。
【００２６】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００２７】
始動入賞口１４に遊技球が入賞すると、始動入賞口１４内に設けた特別図柄始動スイッチが遊技球を検出し、表示装置１３が後述するように図柄を変動表示する。なお、表示装置１３が図柄を変動表示している間に、始動入賞口１４に入賞した入賞球は、４個まで保留記憶される。
【００２８】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。大入賞口１５に遊技球が入賞すると、大入賞口１５内に設けた検出スイッチが遊技球を検出し、その検出信号に基づいて、例えば、１５個の遊技球が賞球として払い出される。そして、所定条件が成立（例えば、可動扉１５Ｔの開放時間が２９秒に達したか、又は、大入賞口１５に遊技球が１０個入賞したか）すると、可動扉１５Ｔが遊技盤１１側に回動して大入賞口１５を閉塞する。
【００２９】
表示装置１３は、遊技盤１１に貫通形成された開口部（図示せず）に対し、遊技盤１１の前面側から取り付けた枠形構造の装飾枠２３（図１を参照）と、遊技盤１１の後面側から取り付けた図示しない液晶モジュール（詳細には、ＴＦＴ−ＬＣＤモジュール）とで構成されている。そして、遊技者は、遊技盤１１の前面側から、装飾枠２３を介して、液晶モジュールに備えた表示部３４を見ることができる。
【００３０】
表示部３４の中央部分には、特別図柄表示領域が設けられ、図１に示すように、通常は、３つの左、中、右の特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに当否判定され、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００３１】
表示部３４のうち、特別図柄表示領域の左下隅には、普通図柄表示領域２４が設けられている。この普通図柄表示領域２４は、始動ゲート１８内に設けた普通図柄始動スイッチが遊技球の通過を検出したときに当否判定され、例えば、「０」〜「９」までの数字（普通図柄）を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。なお、普通図柄表示領域２４で表示する普通図柄は、数字に限るものではなく、アルファベットや記号等でもよい。
【００３２】
図２に示すように、遊技盤１１の後面には、表示装置１３を構成する液晶モジュールの後側に重なるようにして表示制御基板５１が備えられている。また、表示制御基板５１の下側には、ランプ制御基板５２と音声制御基板５０とが横並びにして取り付けられている。そして、これらランプ制御基板５２、音声制御基板５０及び表示制御基板５１の後側に重なるようにして主制御基板４９が取り付けられている（図３を参照）。なお、前記各制御基板４９〜５２は、それぞれ透明な樹脂ケースに収容されている。
【００３３】
以上が、遊技盤側集合体を構成する各部品の説明である。次いで、裏機構セット盤側集合体について説明すると、裏機構セット盤７５は、合成樹脂で構成され、図２に示すように、全体として遊技盤１１より縦方向に長い矩形状をなす。裏機構セット盤７５の中央部分には、矩形窓７４が形成され、裏機構セット盤７５が、後述するように遊技盤１１に重ねられると、前記した遊技盤１１に固定された各制御基板４９〜５２が、矩形窓７４内に配置される。また、矩形窓７４の縁部には、各制御基板４９〜５２を収容する筐体状のカバー５６が着脱可能に取り付けられている（図３を参照）。
【００３４】
裏機構セット盤７５の後面７５Ｒのうちカバー５６（矩形窓７４）より下方には、図３に示すように、払出制御基板５８と電源装置５４とが横並びにして取り付けられている。払出制御基板５８は、主制御基板４９から受けた信号に基づき、後述の賞球払出装置３０及び貸球払出装置３１を駆動して、所定数の遊技球を後述の上皿２７Ａ（図１及び図４を参照）に払い出させる。電源装置５４は、パチンコホールに備えたＡＣ２４Ｖ設備電源から電力を受け、これを所定の電圧に変圧して各部位に配電する。なお、払出制御基板５８と電源装置５４も、個々に透明な樹脂ケースに収容されている。
【００３５】
裏機構セット盤７５の後面７５Ｒのうちカバー５６（矩形窓７４）より上側には、図３に示すように、遊技球タンク７１が設けられている。また、カバー５６（矩形窓７４）の側方部分には、賞球払出装置３０及び貸球払出装置３１が設けられている。そして、遊技球タンク７１と賞球払出装置３０及び貸球払出装置３１との間が、カバー５６の上辺と右側辺に沿って延びた遊技球誘導レール７１Ｒにより連絡されている。
【００３６】
図２に示すように、裏機構セット盤７５のうち各払出装置３０，３１が配された側の側部（図２における右側部）には、上下方向に１対のヒンジピン７３，７３が取り付けられ、これらヒンジピン７３，７３が、外枠８２に回動可能に備えられた後述の遊技盤保持枠９０のヒンジ孔８７に係合し、裏機構セット盤７５が遊技盤保持枠９０に対して回動可能に組み付けられる。
【００３７】
また、裏機構セット盤７５は、次述するナイラッチ６８とストッパー６７とを、遊技盤保持枠９０の各部位に係止することで、遊技盤保持枠９０に対して回り止めされ、遊技盤保持枠９０の後面に固定される。即ち、ナイラッチ６８は、図２に示すように、裏機構セット盤７５のうちヒンジピン７３と反対側の側部に上下方向に対をなして設けられている。ナイラッチ６８は、先端部が膨出しかつ縦割りにされている（図１０を参照）。このナイラッチ６８を、遊技盤保持枠９０に形成された係止孔６８Ｃに突入させて押し込むと、ナイラッチ６８が係止孔６８Ｃを貫通して、ナイラッチ６８の先端部が係止孔６８Ｃの奥側で拡がる。すると、ナイラッチ６８の先端部の段差面６８ｄと係止孔６８Ｃの奥側周縁部６８ｅとが係合する。これによりナイラッチ６８が係止孔６８Ｃに抜け止めされ、裏機構セット盤７５の一部が遊技盤保持枠９０に固定される。ここで、ナイラッチ６８と係止孔６８Ｃとによって本発明の「第２係合部材」が構成されている。
【００３８】
ストッパー６７は、図２に示されており、裏機構セット盤７５の後面７５Ｒのうち矩形窓７４の下方に貫通形成されたスリット７６（図８を参照）の上縁部に回転可能に取り付けられたレバー構造をなし、そのレバーの内側にリンク部材が連結されている。そして、遊技盤保持枠９０の後面から起立したフック６７Ｆを前記スリット７６に挿通させた状態で、ストッパー６７を裏機構セット盤７５側に寝かせることで、リンク部材が前記フック６７Ｆに係止して、裏機構セット盤７５の一部が、遊技盤保持枠９０に固定される。ここで、ストッパー６７とフック６７Ｆとによって本発明の「第２係合部材」が構成されている。
【００３９】
一方、図８に示すように、裏機構セット盤７５の前面７５Ｆのうち、矩形窓７４よりも下方には、遊技球回収樋７８が矩形窓７４の下辺に沿って左右方向に延びている。遊技球回収樋７８は、両側部から中央部に向かって下方に傾斜している。遊技球回収樋７８の中央部からは、下方に向かって遊技球回収流下樋７９が延びている。そして、遊技盤１１の前面に備えられた各種入賞口１４，１５，２０，２１やアウト口１６から遊技盤１１の後面側に案内された遊技球は、遊技球回収樋７８で受け止められ、遊技球回収樋７８から遊技球回収流下樋７９を通ってパチンコ遊技機の外部に排出される。
【００４０】
さらに、裏機構セット盤７５には、前記各払出装置３０，３１によって払い出された遊技球を後述する上皿２７Ａ及び下皿２７Ｂに排出するための上皿排出口８８と下皿排出口８９とが貫通形成されている。
【００４１】
次に外枠８２について説明する。外枠８２には、遊技盤保持枠９０が回動可能に備えられている。外枠８２は、４つの木製の長板８３を縦長矩形状に接合して構成されており、外枠８２のうち両側辺を構成する長板８３の下端部の間には、前面板８４が差し渡され、その前面板８４の下縁部が、下辺を構成する長板８３に接合されている。
【００４２】
外枠８２のうち一方の側辺には、その上下の２箇所に、金属製のヒンジ片８５，８５が取り付けられている。また、外枠８２のうちヒンジ片８５と反対側の側辺を構成する長板８３には、その上端寄りと下端寄りの内面の２箇所に、図示しない１対の係合部が取り付けられ、この係合部が遊技盤保持枠９０に備えられた係合部と係合することにより、遊技盤保持枠９０が外枠８２に対して回動不能に固定される。さらに、外枠８２のうちヒンジ片８５を備えた側の外側面には、図１に示すように、プリペードカードユニット１０１が取り付けられる。
【００４３】
遊技盤保持枠９０は、例えば、合成樹脂で構成され、図４に示すように、外枠８２の前面のうち前面板８４より上方部分に対応した矩形構造をなす。遊技盤保持枠９０の一方の側辺には、その上下の２箇所に、金属製の上ヒンジ片９１ａ及び下ヒンジ９１ｂが備えられている。そして、この上ヒンジ片９１ａを貫通したヒンジピン１５０を前記外枠８２に設けた上側のヒンジ片８５ａのヒンジ孔１６０に挿入し、外枠８２に備えた下ヒンジ片８５ｂを貫通したヒンジピン１７０を前記遊技盤保持枠９０の下側のヒンジ片９１ｂのヒンジ孔１８０に挿入して回動自在に取り付ける。これにより、遊技盤保持枠９０が、外枠８２に対して開閉する。また、遊技盤保持枠９０のうち、ヒンジ片９１が備えられた側と反対側の側辺には、１対の被係止部９２，９２（図２を参照）が備えられており、外枠８２に備えられた係止部とこの被係止部９２，９２とが係合することで、遊技盤保持枠９０が外枠８２に対して回り止めされる。
【００４４】
図４に示すように、遊技盤保持枠９０には、遊技窓９０Ｗが形成されており、遊技盤保持枠９０の後面側から挿入された遊技盤１１の遊技領域Ｒ１を遊技盤保持枠９０の前面側から視認可能となっている。また、遊技盤保持枠９０の前面には、ガラス枠９５が設けられている。ガラス枠９５は、遊技盤保持枠９０のうちヒンジ片９１側の側縁部に回動可能に取り付けられており、遊技窓９０Ｗより一回り小さな窓９５Ｗを備えて、そこにガラス板が張られている。また、図４に示すように、ガラス枠９５の前面のうち窓９５Ｗの縁部には、装飾ランプ９６が配されている。
【００４５】
図４に示すように、遊技盤保持枠９０のうちガラス枠９５の下方には、横長の回動板９７が、ガラス枠９５と同様に、遊技盤保持枠９０に対して回動可能に取り付けられている。また、この回動板９７には、上皿２７Ａが取り付けられ、遊技盤保持枠９０のうち回動板９７の下方に、下皿２７Ｂが取り付けられている。そして、遊技を行った場合の賞球としての遊技球が、上皿２７Ａに払い出され、上皿２７Ａに設けたボタン２９を押すと、上皿２７Ａから下皿２７Ｂに遊技球が移動する。
【００４６】
上皿２７Ａの左右の両端部寄り位置には、１対のスピーカ５９Ｓ，５９Ｓが設けられると共に、下皿２７Ｂの右端部には、操作ノブ２８が設けられている。これらスピーカ５９Ｓ、操作ノブ２８及び前記装飾ランプ９６等は、パチンコ遊技機の所定の電気回路にコネクタ接続されている。そして、操作ノブ２８を操作すると、遊技盤保持枠９０の下端部に備えられた発射装置５３（図５を参照）が駆動して、上皿２７Ａに収容された遊技球が遊技盤１１上の遊技領域Ｒ１に向けて弾き出され、遊技の進行状況に応じて、装飾ランプ９６及びスピーカ５９Ｓが駆動される。
【００４７】
図５に示すように、遊技盤保持枠９０の後面には、遊技窓９０Ｗを囲むように囲壁９３が起立している。そして、この囲壁９３の内部に前記遊技盤１１が嵌合され、囲壁９３に備えた複数の遊技盤保持レバー１１４にて遊技盤１１が遊技盤保持枠９０に係脱可能に固定される。詳細には、遊技盤保持レバー１１４は、例えば、遊技盤保持枠９０のうち囲壁９３の両側辺に１対ずつの計４つ設けられている。そして、遊技盤保持レバー１１４の各々は、螺子１２０に貫通されて、その螺子１２０を遊技盤保持枠９０に螺合することで、遊技盤保持枠９０に対して螺子１２０を中心に回転可能に保持されている。遊技盤保持レバー１１４は、係止突片１１４Ｋを張り出して備える。係止突片１１４Ｋは、遊技盤保持レバー１１４を囲壁９３に沿って寝かした係止状態（図２の状態）のときには、囲壁９３の内側に突出し、遊技盤保持レバー１１４が囲壁９３から外側へ直立した非係止状態のときには、囲壁９３の外側位置へ退避するように構成されている。そして、遊技盤保持枠９０の囲壁９３内に遊技盤１１を嵌め込んだ状態で遊技盤保持レバー１１４を回動して係止状態とすると、係止突片１１４Ｋが遊技盤１１の後面側に配置されて、遊技盤１１が係止突片１１４Ｋと遊技盤保持枠９０との間に挟持される。
【００４８】
ここで、遊技盤保持枠９０のうち囲壁９３の上辺の略中央には、遊技盤保持レバー１１４と同一構成の裏機構セット盤保持レバー７７が備えられている。そして、裏機構セット盤７５を遊技盤保持枠９０の後面に当接させた状態で、裏機構セット盤保持レバー７７を係止状態とすると、裏機構セット盤保持レバー７７に備えられた係止突片７７Ｋが裏機構セット盤７５の後面７５Ｒに配置され、裏機構セット盤７５と遊技盤１１とが係止突片７７Ｋと遊技盤保持枠９０との間に挟持される（図３を参照）。ここで、裏機構セット盤保持レバー７７は本発明の「第２係合部材」に相当する。
【００４９】
さて、遊技盤保持枠９０の後面のうち、遊技窓９０Ｗの下辺部分には、回転係合レバー６９（本発明の「第１係合部材」、「係合レバー」に相当する）が備えられている。詳細には、回転係合レバー６９は、図２に示すように、遊技窓９０Ｗの下辺部分のうち、中央よりややヒンジ片９１が備えられた側辺（図２における右側辺）寄り位置に設けられている。回転係合レバー６９は、図５に示すように、回転係合レバー６９の中心部を貫通した螺子１２１によって遊技盤保持枠９０に回転可能に軸支されている。そして、回転係合レバー６９を非保持位置（図７の破線で示した状態）にして遊技盤１１を遊技盤保持枠の囲壁９３の内側に嵌合してから、保持位置（図７の実線で示した状態）に回転することで回転係合レバー６９によって遊技盤１１の下辺部分の一部が遊技盤保持枠９０との間に挟持される。即ち、遊技盤１１の一部を回転係合レバー６９によって押し止めすることで、遊技盤１１が遊技盤保持枠９０に離脱不能に保持される。
【００５０】
回転係合レバー６９は、図６に拡大して示すように、円板部１１５から摘み部１１６を起立して備え、中心部には貫通孔１１９が形成されている。図１０に示すように、貫通孔１１９のうち回転係合レバー６９の裏面側は、大径部１１９Ａをなし、回転係合レバー６９の表面側は大径部１１９Ａに向かうに従って先細りとなったテーパー構造の小径部１１９Ｂとなっている。そして、大径部１１９Ａの内部に、遊技盤保持枠９０から起立した円柱体１３０（図５を参照）が嵌合され、小径部１１９Ｂ側から通した螺子１２１が、円柱体１３０の中心部に形成した螺子孔に螺合される。なお、螺子１２１の頭部と回転係合レバー６９との間には、滑りのよい樹脂製ワッシャ１２２が挟まれており、この樹脂製ワッシャ１２２を小径部１１９Ｂ内に配置して螺子１２１が円柱体１３０に螺合される。ここで、円柱体１３０が本発明の「軸部」に相当する。
【００５１】
摘み部１１６は、壁形状をなしており、円柱体１３０に直交しかつ円板部１１５の直径方向に延びている。摘み部１１６のうち、図６における下端部１１６Ｂは、円板部１１５の外周縁よりも外側に突出している。また、その突出した下端部１１６Ｂの遊技盤保持枠９０と対向する面には突条１０６が形成されている。なお、摘み部１１６の両側面は凹凸形状をなしており、作業者が摘み部１１６を摘んで操作するときの滑り止めとなっている。
【００５２】
摘み部１１６のうち、図６における貫通孔１１９よりも上側の部分は段付形状をなしている。そして、摘み部１１６の上端部には、遊技盤１１を遊技盤保持枠９０に押さえるための押さえ片１２４（本発明の「遊技盤押さえ部」に相当する）が形成されている。押さえ片１２４は、摘み部１１６の上端面から円板部１１５よりも外側へ張り出している。
【００５３】
摘み部１１６のうち、押さえ片１２４が形成された部分には、干渉凸部１２５が突出形成されている。詳細には、干渉凸部１２５は、摘み部１１６の裏機構セット盤７５と対向する側の面から裏機構セット盤７５側（円板部１１５から離れる側）に向かって突出しており、全体としてブロック状をなしている。
【００５４】
なお、押さえ片１２４の遊技盤１１に対向する面には、回転係合レバー６９を保持位置としたときに、遊技盤１１の後面に当接する突条１０７が形成されている。このように、押さえ片１２４に突条１０７を形成し、遊技盤１１と押さえ片１２４との接触する部分を小さくすることにより、遊技盤１１を押さえるときに、遊技盤１１の一部と押さえ片１２４との摩擦力を小さく抑えることができ、回転係合レバー６９を、上記した保持位置と非保持位置との間でスムーズに移動することができる。また、摘み部１１６の内部は空洞になっており、その空洞が円板部１１５の裏面（遊技盤保持枠９０に対向する面）に開放している。
【００５５】
ここで、遊技盤保持枠９０のうち、回転係合レバー６９の取り付け部分は以下のような構成となっている。図５に示すように、遊技盤保持枠９０のうち、前述した円柱体１３０の周囲には、遊技盤保持枠９０の後側に向かって円弧壁１３１が起立形成されており、この円弧壁１３１によって円柱体１３０を中心とした略円形の空間が形成されている。円弧壁１３１は上方に開放しており、この開口部分から、回転係合レバー６９の押さえ片１２４が、遊技盤１１が嵌合される囲壁９３の内側へ突出する（図２の状態）ように構成されている。
【００５６】
また、図７に示すように、円弧壁１３１の内周面に沿った２箇所には、遊技盤保持枠９０の後面から突出した突起部１３２，１３２が突出している。具体的には、突起部１３２は、円柱体１３０の略真下位置と、円柱体１３０の略右側方位置とに円柱体１３０を中心として約６０°の間隔を置いて設けられている。そして、回転係合レバー６９の押さえ片１２４（より詳細には、突条１０７）により遊技盤１１を遊技盤保持枠９０に保持する保持位置（図７における実線で示した状態）となったときには、円柱体１３０の略真下位置に設けられた突起部１３２と回転係合レバー６９の下端部１１６Ｂとが当接する。これにより、回転係合レバー６９の図７における時計回り方向への回り止めがなされる。また、回転係合レバー６９を保持位置から反時計回りに回動すると、回転係合レバー６９の下端部１１６Ｂと円柱体１３０の略右側方位置に設けられた突起部１３２とが当接する。これにより回転係合レバー６９の図７における反時計回り方向への回り止めがなされる。つまり回転係合レバー６９によって遊技盤１１を遊技盤保持枠９０に押さえ、挟持する（回転係合レバー６９を保持位置とする）場合には、回転係合レバー６９が突起部１３２と当接して突き当たるまで（回転不能となるまで）時計回りに回転操作すればよく、回転係合レバー６９による遊技盤１１の挟持を解除する（回転係合レバー６９を非保持位置とする）場合には、回転係合レバー６９が突起部１３２と突き当たるまで（回転不能となるまで）反時計回りに回転操作すればよい。
【００５７】
ところで、裏機構セット盤７５を遊技盤保持枠９０の後面に重ねると、回転係合レバー６９は全体が裏機構セット盤７５によって覆われる。そして、図８に示すように、裏機構セット盤７５の前面７５Ｆのうち、遊技盤保持枠９０の後面に重ねたときに回転係合レバー６９と対向する部分には、突出壁１４０（本発明の「受け凸部」に相当する）が形成されている。
【００５８】
図８に示すように、突出壁１４０は、遊技球回収樋７８の下側位置に設けられている。突出壁１４０は、図９に拡大して示すように、裏機構セット盤７５の前面７５Ｆから前方、即ち、遊技盤保持枠９０の後面側に向かって突出している。詳細には、突出壁１４０は、遊技球回収樋７８の下辺部７８Ｕから下方に垂直に延び途中から円弧状に湾曲しながら下方に延びている。そして突出壁１４０の下端部は、裏機構セット盤７５の左右方向に延びた横リブ１４２に連絡されている。ここで、突出壁１４０の円弧状をなした部分は、回転係合レバー６９が保持位置以外の位置、即ち、非保持位置にあるときの干渉凸部１２５の移動位置の全般に対応して設けられている。
【００５９】
突出壁１４０の側方には、図８及び図９に示すように凹所１４４（本発明の「干渉凸部収納空間」に相当する）が形成されている。凹所１４４は、上下の側壁が遊技球回収樋７８の下辺部７８Ｕと横リブ１４２とで構成され、左右の側壁が上皿排出口８８の一側壁と突出壁１４０とで構成されている。
【００６０】
回転係合レバー６９が保持位置ではない場合、即ち、回転係合レバー６９の摘み部１１６が垂直方向に対して傾いた非保持位置（図７における破線で示された位置）である場合に、裏機構セット盤７５を遊技盤保持枠９０の後面に重ねると、回転係合レバー６９に形成された干渉凸部１２５が突出壁１４０の円弧状に湾曲した部分に突き当たる（図１１の状態）。即ち、このときの裏機構セット盤７５と遊技盤保持枠９０との位置関係が、本発明の「第２位置状態」に相当する。
【００６１】
一方、回転係合レバー６９が保持位置の場合には、裏機構セット盤７５を遊技盤保持枠９０の後面に重ねたときに、回転係合レバー６９の摘み部１１６、より詳細には、摘み部１１６に形成された干渉凸部１２５が凹所１４４内に収納される（図１０の状態）。即ち、このときの裏機構セット盤７５と遊技盤保持枠９０との位置関係が、本発明の「第１位置状態」に相当する。
【００６２】
次に本実施形態の動作を説明する。
遊技盤１１、裏機構セット盤７５及び遊技盤保持枠９０を互いに組み付ける場合には、以下のようである。まず、遊技盤保持枠９０の後面側から遊技盤１１を囲壁９３の内側に嵌め込む。このとき、予め、遊技盤保持レバー１１４と裏機構セット盤保持レバー７７を囲壁９３から外側に直立した状態としておき、回転係合レバー６９は、押さえ片１２４が囲壁９３の内側に突出しないように、非保持位置（図７の破線で示した状態）としておく。
【００６３】
遊技盤１１を囲壁９３の内側に嵌め込んだら、遊技盤保持枠９０の両側辺に備えられた４つの遊技盤保持レバー１１４と回転係合レバー６９を回動操作して、遊技盤１１を遊技盤保持枠９０に固定する。即ち、遊技盤保持レバー１１４を約９０°回動して囲壁９３に沿って寝かした係止状態とし、係止突片１１４Ｋと遊技盤保持枠９０との間に遊技盤１１を押さえ挟持する。また、回転係合レバー６９を図７における時計回り方向に回転させて保持位置とし、押さえ片１２４（より詳細には、突条１０７）と遊技盤保持枠９０との間で遊技盤１１を押さえ、挟持する。
【００６４】
遊技盤１１を遊技盤保持枠９０に固定したら、裏機構セット盤７５を取り付ける。まず、裏機構セット盤７５に備えられたヒンジピン７３を遊技盤保持枠９０に備えられたヒンジ孔８７に挿通する。次いで、このヒンジピン７３を中心にして、裏機構セット盤７５を遊技盤保持枠９０に対して回動し、裏機構セット盤７５を遊技盤保持枠９０の後面に重ねる。すると、遊技盤１１の後面に取り付けられた各種制御基板４９〜５２が裏機構セット盤７５の矩形窓７４内に配置されると共に、図１０に示すように、回転係合レバー６９に備えられた干渉凸部１２５が、裏機構セット盤７５の前面側に形成された凹所１４４内に収容される。これにより、裏機構セット盤７５の前面が遊技盤保持枠９０の囲壁９３の周端面に当接する。
【００６５】
次いで、ストッパー６７，ナイラッチ６８、裏機構セット盤保持レバー７７（本発明の「第２係合部材」の一部）を操作して、それぞれ所要箇所、即ち、フック６７Ｆ、係止孔６８Ｃの奥側終端縁６８ｅ、裏機構セット盤７５の後面７５Ｒ（本発明の「第２係合部材」の一部）に対して係合することにより裏機構セット盤７５を遊技盤保持枠９０に対して回り止めし、固定する。
【００６６】
具体的には、裏機構セット盤７５と遊技盤保持枠９０とが「第１位置状態」（図１０の状態）となっているので、裏機構セット盤７５のストッパー６７に備えられたリンク部材と遊技盤保持枠９０に備えられたフック６７とが当接して、裏機構セット盤７５のスリット７６に挿通されたフック６７Ｆとストッパー６７のリンク部材とが係止可能となる。そして、ストッパー６７を裏機構セット盤７５側に寝かすと、裏機構セット盤７５の下部が遊技盤保持枠９０に固定される。
【００６７】
また、裏機構セット盤７５と遊技盤保持枠９０とが第１位置状態（図１０の状態）となっているときには、遊技盤保持枠９０の上辺に備えられた裏機構セット盤保持レバー７７の裏面（遊技盤保持枠９０側を向いた面）が裏機構セット盤７５の後面７５Ｒに当接可能となるので、裏機構セット盤保持レバー７７を遊技盤保持レバー１１４と同様にして回動操作可能となる。そして、裏機構セット盤保持レバー７７を回動操作して、係止突辺７７Ｋを裏機構セット盤７５の後面側に配置し、裏機構セット盤７５と遊技盤１１とを合わせて遊技盤保持枠９０との間に位置させる（図３を参照）。これにより、裏機構セット盤７５の上辺部分が遊技盤保持枠９０に固定される。
【００６８】
さらに、裏機構セット盤７５と遊技盤保持枠９０とが第１位置状態（図１０の状態）となっているときには、図１０に示すように、ナイラッチ６８の先端部の段差面６８ｄが、遊技盤保持枠９０の係止孔６８Ｃの奥側周縁部６８ｅと当接可能な位置となるので、ナイラッチ６８を遊技盤保持枠９０に形成された係止孔６８Ｃに突入させて押し込み、ナイラッチ６８を係止孔６８Ｃに貫通させ係合させる。これにより、裏機構セット盤７５のヒンジピン７３が備えられた側辺とは反対側の側辺が、遊技盤保持枠９０に固定される。ここで、回転係合レバー６９を保持位置とする場合には、摘み部１１６を摘んで回転係合レバー６９が止まるまで回転操作すればよいので、回転係合レバー６９の操作性が向上すると共に、回転係合レバー６９の位置合わせが必要ないので、容易かつ確実に回転係合レバー６９を保持位置とすることができる。
【００６９】
ところで、回転係合レバー６９による遊技盤１１の保持が不完全な状態で裏機構セット盤７５と遊技盤保持枠９０とを固定しようとすると以下のようになる。即ち、回転係合レバー６９が、遊技盤１１を遊技盤保持枠９０に押さえ挟持していない非保持位置のままで、裏機構セット盤７５を遊技盤保持枠９０に対して回動し、裏機構セット盤７５を遊技盤保持枠９０の後面側に近づけると、図１１に示すように、回転係合レバー６９の押さえ片１２４から後側に突出した干渉凸部１２５が、裏機構セット盤７５の前面から突出した突出壁１４０の先端面に当接する。すると、裏機構セット盤７５の前面と遊技盤保持枠９０の後面との間には、回転係合レバー６９を保持位置として裏機構セット盤７５を遊技盤保持枠９０に取り付けた場合と比較して、大きな空間Ｓが形成され、裏機構セット盤７５と遊技盤保持枠９０（詳細には、囲壁９３）とが当接不能となる。即ち、裏機構セット盤７５と遊技盤保持枠９０とが「第２位置状態」となる。
【００７０】
上記「第２位置状態」となると、遊技盤保持枠９０のフック６７Ｆが裏機構セット盤７５のスリット７６に挿通されないので、ストッパー６７とフック６７Ｆとが当接不能となり、係合が不可能となる。また、「第２位置状態」のときには、裏機構セット盤保持レバー７７を非係止状態から係止状態となるように回動操作しても、裏機構セット盤保持レバー７７は途中で裏機構セット盤７５の上辺に衝突するので、裏機構セット盤保持レバー７７による裏機構セット盤７５の保持も不可能となる。さらに、「第２位置状態」のときには、図１１に示すように、ナイラッチ６８が係止孔６８Ｃを貫通不可能となるので、ナイラッチ６８の先端部の段差面６８ｄと遊技盤保持枠９０の係止孔６８Ｃの奥側終端縁６８ｅとが当接不能となり、ナイラッチ６８による裏機構セット盤７５と遊技盤保持枠９０との固定も不可能となる。つまり、裏機構セット盤７５を遊技盤保持枠９０に対して回り止めし、固定することが不可能となる。
【００７１】
このように本実施形態によれば、回転係合レバー６９が遊技盤１１を保持していない非保持位置の場合には、回転係合レバー６９に備えられた干渉凸部１２５と裏機構セット盤７５に形成された突出壁１４０とが衝突するので、裏機構セット盤７５と遊技盤保持枠９０とが離間して互いに当接不可能となる。これにより、ナイラッチ６８と係止孔６８Ｃ、ストッパー６７とフック６７Ｆ及び裏機構セット盤保持レバー７７と裏機構セット盤７５との係合ができなくなる。つまり、回転係合レバー６９による遊技盤１１の保持が不完全なままで、遊技盤保持枠９０と裏機構セット盤７５とが固定されることがないので、遊技盤１１の組み付け不良を確実に防止することができる。
【００７２】
また、突出壁１４０は、回転係合レバー６９の保持位置以外の位置（非保持位置）の全体に亘って設けられているので、回転係合レバー６９が確実に保持位置にある場合にのみ、裏機構セット盤７５と遊技盤保持枠９０との係合が可能となる。これにより、より確実に遊技盤１１の組み付け不良を防止することができる。
【００７３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、パチンコ遊技機に本発明を適用していたが、遊技機であれば、コイン遊技機やスロットマシン等に備えてもよい。
【００７４】
（２）前記実施形態では、裏機構セット盤７５は遊技盤保持枠９０に固定されるように構成されていたが、遊技盤保持枠９０に保持された状態の遊技盤１１に固定されるように構成してもよい。
【００７５】
（３）前記実施形態では、回転係合レバー６９に干渉凸部１２５を備えた構成であったが、裏機構セット盤７５の前面７５Ｆ側から回転係合レバー６９の摘み部１１６に当接するような干渉凸部を突出させてもよい。
【００７６】
（４）前記実施形態では、回転係合レバー６９が非保持位置の場合には、ナイラッチ６８、裏機構セット盤保持レバー７７及びストッパー６７が係止不可能となるように構成されていたが、これらのうちの少なくとも１つが係止不可能な構成であればよい。
【００７７】
（５）前記実施形態では、回転係合レバー６９に干渉凸部１２５を形成していたが、遊技盤保持レバー１１４に干渉凸部を形成し、裏機構セット盤７５に遊技盤保持レバー１１４が非係止状態のときにこの干渉凸部に衝突する突出部を設けた構成でもよい。
【００７８】
（６）前記実施形態では、円柱体１３０を中心として回転する回転係合レバー６９によって遊技盤１１を保持していたが、他の構成の係合部材で保持してもよい。例えば、遊技盤保持枠９０の後面にスライド可能に備えられた係合部材等、保持位置と非保持位置との間で移動可能な構成であればよい。
【図面の簡単な説明】
【００７９】
【図１】本発明の一実施形態に係るパチンコ遊技機の正面図
【図２】裏機構セット盤、遊技盤及び遊技盤保持枠の斜視図
【図３】パチンコ遊技機の背面図
【図４】外枠、遊技盤保持枠、ガラス枠、回動板の分解斜視図
【図５】遊技盤保持枠の斜視図
【図６】回転係合レバーの斜視図
【図７】遊技盤保持枠の回転係合レバー取り付け部分の拡大図
【図８】裏機構セット盤を部分拡大した正面図
【図９】裏機構セット盤を部分拡大した斜視図
【図１０】回転係合レバーが保持位置のときの裏機構セット盤と遊技盤保持枠との組み付け状態を表す部分側断面図
【図１１】回転係合レバーが非保持位置のときの裏機構セット盤と遊技盤保持枠との状態を表す部分側断面図
【符号の説明】
【００８０】
１１    遊技盤
３０    賞球払出装置
６７    ストッパー（第２係合部材）
６７Ｆ    フック（第２係合部材）
６８    ナイラッチ（第２係合部材）
６８Ｃ    係止孔（第２係合部材）
６９    回転係合レバー（係合レバー）
７５    裏機構セット盤
７７    裏機構セット盤保持レバー（第２係合部材）
９０    遊技盤保持枠
１１６    摘み部
１２４    押さえ片（遊技盤押さえ部）
１２５    干渉凸部
１３０    円柱体（軸部）
１４０    突出壁（受け凸部）
１４４    凹所（干渉突部収納空間）
Ｒ１    遊技領域
【図１】
0003707787.tif 000002
【図２】
0003707787.tif 000003
【図３】
0003707787.tif 000004
【図４】
0003707787.tif 000005
【図５】
0003707787.tif 000006
【図６】
0003707787.tif 000007
【図７】
0003707787.tif 000008
【図８】
0003707787.tif 000009
【図９】
0003707787.tif 000010
【図１０】
0003707787.tif 000011
【図１１】
0003707787.tif 000012